(57)【要約】      （修正有）【課題】液体洗剤容器への詰め替え目的のフィルム製パウチにおいて、詰め替え作業時に少ない手間で確実な詰め替え作業が可能なパウチを提供すること。【解決手段】パウチＡの底部フィルム２の中央に、スパウトＢを備え、スパウトは、上部にスパウトフランジ部３、下部に筒状口部４、筒状口部内にシール開口治具Ｃ、筒状口部の内壁にねじ部８を備えた構成で、フランジ部上面が密閉材でシールされ、詰め替え対象ボトル９を回しながら筒状口部ネジ部に挿入することで、詰め替え対象ボトルの口部７がシール開口治具を押し上げ、密閉材シール６に当接し、切断・開口して、パウチの内容液が、詰め替え対象ボトル内に流れる詰め替えパウチ。【選択図】図５
2020033067.tif 000002
【特許請求の範囲】
【請求項１】
自立式のパウチにおいてパウチの底部フィルムの中央に、スパウトを備え、スパウトは、上部にスパウトフランジ部、下部に筒状口部、筒状口部内にシール開口冶具、筒状口部の内壁にねじ部を備えた構成で、フランジ上面が密閉材でシールされ、詰め替え対象ボトルを回しながら筒状口部ネジ部に挿入することで、詰め替え対象ボトルの口部がシール開口冶具を押し上げ、密閉材シールに当接し、切断・開口して、パウチの内容液が、詰め替え対象ボトル内に流れ、互いのネジ部同士の勘合で、倒れてもこぼれる事無いことを特徴とした詰め替えパウチ。
【請求項２】
前記スパウトの内壁には、無理入れされた開口冶具を支えるための、上下の２つの突起リングからなる２段突起リングを備わったことを特徴とする請求項１記載の詰め替えパウチ。
【請求項３】
請求項１及び２の前記スパウトの内壁に詰め替え対象ボトル口のネジと同様ピッチのネジが切られねじには空気抜け用の縦溝の有り、外壁にも空気抜きの溝が加工された事を特徴とするスパウトを有する詰め替えパウチ。
【請求項４】
請求項１のシール開口冶具は開口刃と開口治具フランジと開口治具筒部からなる構造体でスパウトフランジ上面の密閉材シールを対象容器を用いて押し破る機能を特徴とする治具を付けた詰め替えパウチ。
【発明の詳細な説明】
【技術分野】
【０００１】
本発明は、液体洗剤容器への詰め替え目的のフィルム製パウチにおいて、詰め替え作業時に少ない手間で確実な詰め替え作業が可能な形態のパウチの提供に有る。
【背景技術】
【０００２】
液体洗剤容器やポンプ式洗剤容器等への詰め替え用の製品は今日パウチ形式物が主流になりつつある。使用時に消費者は手を汚さず且つ環境にも配慮された詰め替え用パウチは便利な製品である。この容器詰め替え用パウチは底ガゼットタイプのパウチの上部に詰め替えが便利な様にフィルム自身をカット加工した形状やキャップ付きのスパウトがパウチ上部突端に接着加工した形状の物等が一般的な市販形態品として出回っているが、容器への詰め替えの場合に内部液体の粘性が高い場合最後まで注ぎ込むのに時間と多少の労力を要するのが現状であり、詰め替え時にパウチと容器が倒れてこぼれる事も有り最後まで手を添えて居なければならない問題点も有る。
【先行技術文献】
【特許文献】
【０００３】
【特許文献１】特願２０１６−０６９８５１
【発明の概要】
【発明が解決しようとする課題】
【０００４】
本発明が解決しようとする課題は、現行市場に出回って居るパウチの従来品では、詰め替え作業時に倒れたり、内容液が溢れたり、こぼれたりする問題点が有る。また詰め替え時にはボトル口部にパウチの上部に供えられた詰め替え口を差し込み、詰め替え対象ボトルと共に口部から抜け出ない様にまた、倒れない様に最後まで長時間手でパウチ本体も支えて居なければならない手間の問題もあった。
【課題を解決するための手段】
【０００５】
自立式の詰め替えパウチ底材部の中心部に穴を開け、ポリエチレン製のスパウトを穴部に通してパウチ底材部と接合シールした形状の詰め替え用パウチで、対する詰め替え対象ボトルがポンプ式の場合対象と成るポンプの口径規格が一般品の場合一定化している点を活用し、スパウト側に筒状口部を設け、筒状口部の内壁に対象ボトルと嵌合の良いポンプ口部と同様形状のネジを設けネジ部の上部には２段突起リングが円周状に突起部が２段に別れて備わり、筒状口部内壁の円周状の２段突起リングの中間部にシール開口治具が上下に動く間隔の直径で収納されているスパウトを用いる。スパウトフランジ部で底部用フィルムとシール接着され、フランジ内面の接液面にはアルミとポリエチレンフィルムとのラミネートした密閉材で内溶液に対しての密閉材シールがなされているスパウトを使用した詰め替え用パウチ。パウチに使用するスパウトのフランジは詰め替え時のパウチ倒れ防止機能の目的も兼ねて詰め替え対象ボトル口部径より大きな形状で設計された詰め替え用パウチとなる。
【０００６】
本発明詰め替え用パウチは台所や風呂場関連の商品群の場合の、詰め替え対象ボトルがポンプ式の場合は、内容液の入ったパウチを持って底に供えられたキャップを外す。スパウト上部接液面には密閉材シールが施されているのでこの時点では内容液は出て来ない。ポンプ部分を取り外した対象ボトルの口ネジ部をスパウト筒状口部ネジ部内にネジ入れる。ボトル回転と共にスパウト内に供えられたシール開口治具が押上げられスパウトフランジ裏面にシールされたアルミとポリエチレンをラミした密閉材シールを突き破り、パウチ内の内容液はスパウト筒状口部を伝わってボトル口部よりボトル内部にこぼれる事無く詰め替えられる。カラのボトル内の空気はスパウトと嵌合すると外に出ない事より詰め替えが滞るが、発明はスパウトに空気抜きが設けられていることよりスパウト下部のフランジ部が詰め替え対象容器口部で安定して自立して且つ漏れないで詰め替えが完了する事が可能と成る。
【０００７】
一般的に液体洗剤等詰め替えを行う際には(1)、対象と成るボトル側には中身が使用されて少ない状態で有る事より軽く倒れやすい状態と成って居る。(2)、パウチに使用されるフィルムは柔らかく内容液を支えるだけの腰を有していない（折れ込み易い）(3)、消費者段階での詰め替え作業時にはパウチ内で内溶液が揺れている場合も有り安定が難しい、(4)、重量のバランス上、中心部でセットしないと倒れ易い、(5)漂白剤等内容液が手や衣服に付着しない詰め替え方が可能である事、(5)、未開封である事を表す物が必要、等の問題点がある。本発明は詰め替え用パウチとしての使用事例が多い底ガゼットタイプのスタンディングパウチを生産者側の設備変更費用面も考慮して検討した。
【発明の効果】
【０００８】
本発明の液体の詰め替え用パウチで詰め替え作業を行うには、消費者が詰め替え対象ボトルのポンプ部を取りボトル口部を筒状口部に差し込み廻しながら載せ、パウチフランジ全体と詰め替え対象ボトル口部で内溶液重量を受ける状態を作りながら置く。スパウト内部の液面側フランジ部には３０ミクロン以下のアルミ箔と密度0.910以上〜0.930 未満の低密度ポリエチレンとをラミネートした基材で密閉材シールされており、この部分を回転しながらボトル口がシール開口冶具を押上げ、密閉材シールをパウチの重みと共に突き破る構造と成って居る。この様にして詰め替えパウチ内の液体は注ぎ口付きキャップの内面に沿ってボトル内に流れ込み、詰め替えがスタートする。本発明は詰め替えパウチのスパウト部のフランジ部内面に供えられた密閉材シールとシール開口治具を備えた物とした。消費者はパウチ下部に取り付けられたスパウトキャップを開けて、自立した対象ボトルの上にパウチ自身を載せスパウト部と容器側ネジとの勘合により詰め替え作業が進行する。生産者の洗剤メーカーはパウチ供給メーカーより底部にあらかじめ本発明スパウトが供えられた物が納入され、底ガゼットパウチ用の従来の充填ライン設備で使用が可能と成る等双方の利点がある。底ガゼットタイプのパウチは底部用フィルム部材がすり鉢状の半円形となり、備え付けられたスパウトはパウチ最下点と成る事より、内容液は自然に最後まで流れ出る事と成り、従来の詰め替えパウチには無い密閉されたパウチを突き破る機構で消費者には安全で楽な構造体と成り、本発明品の場合、詰め替え作業中に万が一容器毎倒れてもお互いがネジで勘合された形状であり、互いの口部より内容液が周りに散乱するようなことは起きない事も本発明の大きな効果である。
【図面の簡単な説明】
【０００９】
【図１】本発明詰め替えパウチ
【図２】スパウト図
【図３】スパウト断面図
【図４】シール開口治具図
【図５】本発明詰め替え時断面図
【発明を実施するための形態】
【００１０】
以下図面によって説明致します。図１は本発明詰め替えパウチAで一般的な底ガゼットタイプのパウチフィルム１とパウチ底部フィルム２とフランジ部３でシールされ一体化したスパウトBがある。スパウトBには筒状口部４とその内部にシール開口治具Cが有り、スパウトキャップ５と、その内上面の液面側には密封材６が備わって居る。
【００１１】
図２はスパウトBでスパウトフランジ部３と筒状口部４、スパウトキャップ５、密封材６から成って居る。筒状口部４の内部のネジ部８は詰め替え時のボトル内のエヤー抜きの目的に縦に溝状にネジ山が無い部分を持たせるか、外周囲に1ヶ所以上の空気抜き部1３の溝が備えられる事で円滑な詰め替えをサポートしている。
【００１２】
図３は図２のスパウトBの断面図である。フランジ３の内面は密封材シール６がされており筒状口部４の内壁にはネジ部８と２段突起リング１４に支えられて開口治具Cが備わっており、筒状口部４の外周部には空気抜き部1３が備えられている。
【００１３】
図4はシール開口治具Cで開口刃１０と開口治具フランジ1１と、開口治具筒状部1２から成って居る。
【００１４】
図５は本発明詰め替え時断面図で詰め替え対象ボトル９の上にスパウトBと一体化された本発明詰め替えパウチAを載せ込んだ図である。パウチ底部フィルム２と一体化されたスパウトBのスパウトキャップ５を消費者が取り、筒状口部４はボトル口部７のネジ８と嵌合する口径で設計され、ボトル口部７を筒状口部４にネジ込むと、ボトル口部７が２段突起リング１４に中間で支えられていたシール開口治具Cを押上げ、スパウトB上内面の密閉材シール６を破る事と成り、内容液は溢れることなく、且つ万が一全体が倒れたとしてもこぼれる事無く詰め替え対象ボトル９の内部に詰め替え供給される。またスパウトBの筒状口部４がボトル口部７との勘合により安定した状態と成るが、内壁ネジ部の溝と外周壁に１か所以上で設けられた空気抜き部１３がボトル内の空気を外に出す役目を果たす構造であることより詰め替え作業が円滑且つ適格に行う事を特徴としており、本発明パウチA自身はスパウトBのスパウトフランジ部３がボトル口部７の上に載って内溶液の詰め替え作業終了まで手による支え無しで全てを支える。
【産業上の利用可能性】
【００１５】
本発明は一般的に使用例のパウチ、ボトル等の資材が前提と成って居る事より洗剤メーカー側の充填システム等の機械が現行設備で対応可能と成り新規設備投資が不要と成る点と、消費者側は現行使用中のボトルが対象と成り、手間いらずの詰め替え作業が可能と成る点が相互における産業上の利点と成って居る。
【符号の説明】
【００１６】
A    本発明詰め替えパウチ
B    スパウト
C    シール開口治具
１    パウチフィルム
２    パウチ底部フィルム
３    スパウトフランジ部
４    筒状口部
５    スパウトキャップ
６    密閉材シール
７    ボトル口部
８    ネジ部
９    詰め替え対象ボトル
１０    開口刃  
１１    開口治具フランジ
１２    開口治具筒状部
１３    空気抜き部
１４    ２段突起リング
【図１】
2020033067.tif 000003
【図２】
2020033067.tif 000004
【図３】
2020033067.tif 000005
【図４】
2020033067.tif 000006
【図５】
2020033067.tif 000007